(57)【特許請求の範囲】
【請求項１】
複数の光コネクタアダプタ（１０）を取り付け箇所（１２）へ固定する際に用いられる光アダプタ用ベース（１）であって、
前記各光コネクタアダプタを収納固定する光コネクタアダプタ収納部（２）と、前記取り付け箇所に固定するベース固定部（３）とを備え、
その両側部（４）は、任意の幅寸法（Ｌ）で折曲可能とされたリブ状の折曲可能部（４ｆ）を折曲成形したものであり、
下部には、前記取り付け箇所に設けられた位置決め台（１２ａ）の上面（１２ｂ）に当接される水平面（５ａ）と、下部に設けられたタブ（６）に形成されており、前記位置決め台の側面（１２ｃ）に当接される垂直面（５ｂ）とからなる位置決め面（５）が形成されていることを特徴とする光アダプタ用ベース。
【請求項２】
請求項１記載の光アダプタ用ベースにおいて、前記タブが略中央下部に設けられていることを特徴とする光アダプタ用ベース。
【請求項３】
請求項１又は２記載の光アダプタ用ベースが取り付けられていることを特徴とする架（１１）。
【発明の詳細な説明】
【０００１】
【発明の属する技術分野】
本発明は、複数の光コネクタアダプタを取り付け箇所へ固定するのに用いて好適な光アダプタ用ベース、及び、この光アダプタ用ベースが取り付けられている架に関するものである。
【０００２】
【従来の技術】
例えば、光ケーブルを多数本の光ファイバと分岐、接続する光配線盤等の架としては、その正面に多数の光コネクタアダプタが配設され、ここに光コネクタで成端された光ファイバをそれぞれ接続することで、伝送路の切換や分岐等が行えるような構成が一般的である。
【０００３】
【発明が解決しようとする課題】
ところで、この架においては、設備拡張などに伴う光コネクタアダプタの増設を行う場合には、以下に説明する問題を有していた。
すなわち、
（１）多数の光コネクタアダプタをひとつひとつ、架の端子端にネジ止め等により取り付けていたので、作業数が膨大で、組立時間を要する。
（２）後に、必要に応じて光コネクタアダプタを増設するにも、作業数が多いことから、取り付けに時間がかかる。しかも、周囲の光配線に触れないように注意しながら、多数の光コネクタアダプタの取り付けを行わねばならず、作業性が悪い。
【０００４】
（３）初めから、全ての光コネクタアダプタを実装してしまうなど、予め、必要以上の数の光コネクタアダプタを実装してしまうと、使用しない光コネクタアダプタの発生により、使用率が下がり、不経済である。
（４）光コネクタアダプタの実装密度を高めるために、配列ピッチを狭くすると、前記（１）及び（２）の問題が一層顕著になってしまう。
といった問題である。
【０００５】
本発明は、前記事情を鑑みてなされたものであって、下記をその目的としている。すなわち、多数の光コネクタアダプタを取り付け箇所へ容易に実装でき、しかも、必要に応じて多数の光コネクタアダプタの増設作業を容易に行える手段を提供することを目的とする。
【０００６】
【課題を解決するための手段】
本発明の光コネクタは、前記課題を解決するために以下の手段を採用した。
すなわち、請求項１記載の光アダプタ用ベースは、複数の光コネクタアダプタを取り付け箇所へ固定する際に用いられる光アダプタ用ベースであって、前記各光コネクタアダプタを収納固定する光コネクタアダプタ収納部と、前記取り付け箇所に固定するベース固定部とを備え、その両側部は、任意の幅寸法で折曲可能とされたリブ状の折曲可能部を折曲成形したものであり、下部には、前記取り付け箇所に設けられた位置決め台の上面に当接される水平面と、下部に設けられたタブに形成されており、前記位置決め台の側面に当接される垂直面とからなる位置決め面が形成されていることを特徴とする。
【０００７】
請求項１記載の光アダプタ用ベースによれば、光コネクタアダプタを実装する場合には、まず、実装する光コネクタアダプタ数に応じた数の光アダプタ用ベースを用意し、これらの各光コネクタアダプタ収納部に、各光コネクタアダプタを取り付けて固定する。そして、この光コネクタアダプタが取り付けられた光アダプタ用ベースを、架等の取り付け箇所に填め込んだ後、それぞれをベース固定部で固定する。
光アダプタ用ベースを取り付け箇所に固定する際に、光コネクタアダプタ側に極力近い部分で折曲可能部を折曲することで、取り付け箇所に固定した際に隣り合う各光アダプタ用ベース間の間隙を極めて狭く抑えられる。また、固定後に隣り合う各光アダプタ用ベース間の間隙は、これらの両側部が合致することで封じられる。
【００１１】
また、この光アダプタ用ベースによれば、光アダプタ用ベースの固定を行う際には、位置決め面の水平面を位置決め台の上面に合致するように載置することで鉛直方向の位置決めがなされ、さらに、位置決め面の垂直面を位置決め台の側面に合致させることで、奥行き方向の位置決めがなされる。
請求項２記載の光アダプタ用ベースは、請求項１記載の光アダプタ用ベースにおいて、タブが略中央下部に設けられていることを特徴とする
請求項３記載の架は、請求項１又は２記載の光アダプタ用ベースが取り付けられていることを特徴とする。
【００１２】
【発明の実施の形態】
以下、図面を参照しながら本発明の一実施形態について説明する。
図１、図２に示す光アダプタ用ベース１は、複数の光コネクタアダプタ（図示せず）を、例えば架の取り付け箇所へ略垂直に固定する際に用いられる板状の部品であり、各光コネクタアダプタを収納固定する光コネクタアダプタ収納部２と、前記取り付け箇所に固定するベース固定部３とを備えている。
【００１３】
さらに、その両側部４は、リブ状に突設された折曲可能部４ｆ（図５中の仮想線）を、突設幅寸法Ｌの範囲の適宜寸法で折曲して立ち上げたものである。また、その一側部である下端には、前記取り付け箇所に設けられた位置決め台の上面に当接される水平面５ａと、位置決め台の側面に当接される垂直面５ｂとからなる位置決め面５が形成されている。この垂直面５ｂは、図２の視線において、水平面５ａの左側端から下方に向かって突出するように設けられたタブ６の一側面に形成されている。
【００１４】
光コネクタアダプタ収納部２は、上下２列に前記各光コネクタアダプタを配設する２つの貫通部であり、図１に示すように、横に長い概略長方形形状を有している。そして、この光コネクタアダプタ収納部２には、各光コネクタアダプタを水平方向に等間隔配置するための位置決め用の溝２ａ、２ｂが、各光コネクタアダプタ毎に１対づつ与えられるように水平方向に等間隔で複数形成されている。ベース固定部３は、図示されないビスが通される２つの貫通孔であり、光アダプタ用ベース１の上部かつ中央から左右方向に略均等な距離の位置にそれぞれ形成されている。
【００１５】
両側部４は、光アダプタ用ベース１の両側の折曲可能部４ｆを手前側に略直角に折り曲げたものであり、図２に示すように、その角部４ｂ、４ｃは、取り付けを行う作業者の衣類及び体や、光ファイバなどが引っかかることのないようにアールが付けられた形状となっている。
位置決め面５の水平面５ａは、前記取り付け箇所に取り付ける際の鉛直方向の位置決めをなすための面であり、これを下方から見た場合、水平方向に長い長方形形状となっている。
タブ６は、光アダプタ用ベース１の略中央下部に設けられ、横に長い板形状を有している。そして、前記角部４ｂ、４ｃと同様に、取り付けを行う作業者の衣類及び体や、光ファイバなどが引っかかることのないようにアール６ａ、６ｂが付けられている。
【００１６】
以上に説明した光アダプタ用ベース１を用いた光コネクタアダプタの架への実装は、以下のように行われる。
まず、これから実装する光コネクタアダプタの数をカバーできる枚数の光アダプタ用ベース１を用意する。すなわち、図３、図４に示すように、本実施形態の場合では、計３２個（ただし、１個あたり４本の光ファイバが接続可能）の光コネクタアダプタ１０が固定できるので、実装数が例えば３２個以下である場合には１枚の光アダプタ用ベース１を用意し、実装数がそれ以上である場合には、個数に合わせた枚数を用意する。
【００１７】
この時点の光アダプタ用ベース１の両側部４は、予め光アダプタ用ベース１を製造する工場か、または架のある現場のいずれかにて、最適な幅寸法Ｌとなるように折り曲げ加工されるものである。
なお、この折り曲げの幅寸法Ｌの決定は、下記の２点に基づいて決められる。
【００１８】
１点目は、光コネクタアダプタ１０側に極力近い部分で折り曲げるようにすることである。これにより、取り付け箇所１２に固定した際に隣り合う各光アダプタ用ベース１間の間隙を、狭く抑えて極めて密に配設できるようになる。例えば、本実施形態の光アダプタ用ベース１の板厚を約１．６ｍｍとした場合、極力、光コネクタアダプタ１０に近い部分で折り曲げることにより、図３の視線において、光コネクタアダプタ１０の固定に使用されないのは、両端の各１．６ｍｍの部分ｔだけとなり、非常に密に光コネクタアダプタ１０を収納できるようになる。
【００１９】
２点目は、固定後に隣り合う各光アダプタ用ベース１間の両側部４が合致するように折り曲げの幅寸法Ｌを最小となるようにすることである。これにより、各光アダプタ用ベース１間には、間隙が生じなくなるので、このような間隙から裏面側に固定される光ファイバなどが表側に突出してくるのを防止することが可能となる。
以上の２点を満足させることで、最適な幅寸法Ｌが決定される。
【００２０】
そして、各光コネクタアダプタ１０を、溝２ａ、２ｂに合わせるように位置決めしながら収納部２内に挿入して、１個づつ取り付け固定することで、図３、図４に示す状態となる（以下、これを「接続盤ユニット」と称する）。
【００２１】
次に、図５、図６に示すように、この接続盤ユニットを、架１１の取り付け箇所１２に填め込んだ後、ベース固定部３を、ワッシャ１３を通したビス１４で締め付けることにより固定する。このとき、光アダプタ用ベース１は、位置決め面５の水平面５ａが位置決め台１２ａの上面１２ｂに合致するように載置することで鉛直方向の位置決めがなされ、さらに、位置決め面５の垂直面５ｂを位置決め台１２ａの側面１２ｃに合致させることで、奥行き方向の位置決めがなされる。これにより、接続盤ユニットの各光コネクタアダプタ１０が取り付け箇所１２の目的位置に正確に実装される。
以上に説明した手順により、各光接続盤ユニットを全て取り付けることで、光コネクタアダプタ１０の実装作業が完了する。この後は、例えば光カプラ等の光部品１５で分岐された光ファイバ１６を、光アダプタ用ベース１の裏面側から各光コネクタアダプタ１０に取り付けるなどの接続作業が続行される。
【００２２】
本実施形態の光アダプタ用ベース１によれば、多数の光コネクタアダプタ１０の取り付けを、光アダプタ用ベース１に固定してからまとめて取り付け箇所１２に取り付ける構成を採用したことで、多数の光コネクタアダプタ１０を一括で実装できるので、必要に応じて多数の光コネクタアダプタ１０の実装作業を容易に行うことが可能となる。また、現場（架）でなくて、他の場所で光アダプタベース１に光コネクタアダプタ１０の取り付け作業を行うので、作業性が良い。また、光コネクタアダプタ１０の配列ピッチが狭くても、取り付けが容易であり、高密度実装が可能である。
【００２３】
また、光アダプタ用ベース１の両側部４を折曲自在とし、光コネクタアダプタ１０側に極力近い部分で折曲することで、取り付け箇所に固定した際に隣り合う各光アダプタ用ベース１間の間隙を、極めて狭く抑えることができ、各光アダプタ用ベース１間にできる無駄な間隙を極力排除した配置を行えるので、各光コネクタアダプタ１０を高密度に実装することが可能となる。
更には、固定後に隣り合う各光アダプタ用ベース１間の間隙は、これらの両側部４が合致することで封じられるので、この間隙から裏面側にある光ファイバ１６等が表側にはみ出るのを防止することも可能となる。
【００２４】
また、光アダプタ用ベース１に位置決め面５を設けたことで、鉛直方向の位置決めと奥行き方向の位置決めとを簡単に行えるので、光アダプタ用ベース１を容易に取り付けることが可能となる。
【００２５】
なお、本実施形態の光アダプタ用ベース１は、光コネクタアダプタ１０を架１１に取り付ける場合を例に説明を行ったが、これに限らず、その他の箇所への光コネクタアダプタ１０の取り付けに適用しても良い。
また、本実施形態の光アダプタ用ベース１は、１枚あたり３２個の光コネクタアダプタ１０が取り付けられるようにしたが、これに限らず、１枚で３２個以下もしくは３２個以上取り付けられるものとしても良い。さらに、収納部２は、上下２段としたが、これに限らず、光コネクタアダプタ１０の個数に応じて１段または３段以上としても良い。
【００２６】
また、本実施形態の光アダプタ用ベース１の収納部２の形状は、図１に示すものに限らず、取り付けられる光コネクタアダプタ１０が、ＭＵ型、ＳＣ型、ＭＰＯ型、ＭＴ−ＲＪ型など、いずれのタイプであるかによってそれに合わせた最適な形状となるように設計変更しても良い。
また、本実施形態の光アダプタ用ベース１は、ビス１４で架１１に固定するものとしたが、これに限らず、ナイロンリベット、ナイラッチなど、その他の固定方法を採用しても良い。
また、本実施形態の光アダプタ用ベース１は、両側部４を折り曲げるものとしたが、これに限らず、架１１の取り付け箇所１２に十分余裕なスペースが有る場合には、折曲せずにそのままとしても良い。この場合、折り曲げる工程が減らせるので、コストダウンを図ることが可能となる。
【００２７】
【発明の効果】
本発明の請求項１記載の光アダプタ用ベースによれば、多数の光コネクタアダプタの取り付けを、光アダプタ用ベースに固定してからまとめて取り付け箇所に取り付ける構成を採用したことで、多数の光コネクタアダプタを一括で実装できるので、必要に応じて多数の光コネクタアダプタの実装作業を容易に行うことが可能となる。また、架等の現場でなくて、他の場所で光アダプタベースに光コネクタアダプタの取り付け作業を行うので、作業性が良い。また、光コネクタアダプタの配列ピッチが狭くても、取り付けが容易であり、高密度実装が可能である。
【００２８】
また、請求項１記載の光アダプタ用ベースによれば、その両側部を折曲自在とし、光コネクタアダプタ側に極力近い部分で折曲することで、取り付け箇所に固定した際に隣り合う各光アダプタ用ベース間の間隙を、極めて狭く抑えることができ、各光アダプタ用ベース間にできる無駄な間隙を極力排除した配置を行えるので、各光コネクタアダプタを高密度に実装することが可能となる。
更には、固定後に隣り合う各光アダプタ用ベース間の間隙は、これらの両側部が合致することで封じられるので、この間隙から裏面側にある光ファイバ等が表側にはみ出るのを防止することも可能となる。
【００２９】
また、この光アダプタ用ベースによれば、光アダプタ用ベースに位置決め面を設けたことで、鉛直方向の位置決めと奥行き方向の位置決めとを簡単に行えるので、光アダプタ用ベースを容易に取り付けることが可能となる。
【図面の簡単な説明】
【図１】本発明の光アダプタ用ベースの一実施形態を示す図であって、正面図である。
【図２】同光アダプタ用ベースを示す図であって、図１のＡ−Ａ線側から見た側面図である。
【図３】同光アダプタ用ベースに光コネクタアダプタを取り付けた状態を示す図であって、正面図である。
【図４】同状態を示す図であって、図３のＢ−Ｂ線側から見た側面図である。
【図５】同光アダプタ用ベースを例えば架に固定した場合を示す図であって、正面図である。
【図６】同光アダプタ用ベースを例えば架に固定した場合を示す図であって、図５のＣ−Ｃ線側から見た側面図である。
【符号の説明】
１・・・光アダプタ用ベース、２・・・光コネクタアダプタ収納部、３・・・ベース固定部、４・・・両側部、４ｆ・・・折曲可能部、５・・・位置決め面、５ａ・・・水平面、５ｂ・・・垂直面、１０・・・光コネクタアダプタ、１１・・・架、１２・・・取り付け箇所、１２ａ・・・位置決め台、１２ｂ・・・上面、１２ｃ・・・側面、Ｌ・・・幅寸法
【図１】
0003542922.tif 000002
【図２】
0003542922.tif 000003
【図３】
0003542922.tif 000004
【図４】
0003542922.tif 000005
【図５】
0003542922.tif 000006
【図６】
0003542922.tif 000007